(57)【要約】【課題】部品コストを低減しながら、収納物品を能率よく取り出す。【解決手段】梱包容器は、開口部５に内フラップ６と外フラップ７を有するダンボール箱本体１と、内フラップ６及び外フラップ７の内側であって収納物品３０の上に重ねられる上パット２０とを備えており、上パット２０が、対向する端部に挿入隙間２１を有し、内フラップ６が、先端縁に向かって下り勾配に傾斜する挿入片１０を有し、挿入片１０が挿入隙間２１に挿入されて、上パット２０が内フラップ６に連結される構造とする。【選択図】図１
2020117276.tif 000002
【特許請求の範囲】
【請求項１】
開口部に内フラップと外フラップを有するダンボール箱本体と、
前記内フラップ及び前記外フラップの内側であって収納物品の上に重ねられる上パットとを備える梱包容器であって、
前記上パットが、
対向する端部に挿入隙間を有し、
前記内フラップが、先端縁に向かって下り勾配に傾斜する挿入片を有し、
前記挿入片が前記挿入隙間に挿入されて、前記上パットが前記内フラップに連結される構造としてなることを特徴とする梱包容器。
【請求項２】
請求項１に記載する梱包容器であって、
前記内フラップがコ字状に切断されて、切断線の内側に前記挿入片を設けてなることを特徴とする梱包容器。
【請求項３】
請求項１又は２に記載する梱包容器であって、
前記挿入隙間が幅方向に伸びるスリットであることを特徴とする梱包容器。
【請求項４】
請求項１ないし３のいずれかに記載する梱包容器であって、
前記上パットがダンボール紙であることを特徴とする梱包容器。
【請求項５】
請求項１ないし４のいずれかに記載する梱包容器であって、
収納物品が、上面に電極端子と接続リードとを設けてなる電池パックであることを特徴とする梱包容器。
【発明の詳細な説明】
【技術分野】
【０００１】
本発明は、内部に収納した物品の上に上パットを載せた状態で、開口部に設けている内フラップを内側に折り曲げて、上パットに内フラップを重ねて梱包する容器に関する。
【背景技術】
【０００２】
収納物品の上に上パットを載せ、上パットの上に内フラップと外フラップとを折り曲げて重ねる梱包容器は開発されている。（特許文献１参照）
以上の梱包容器は、上からの衝撃に対する物品の損傷を上パットで防止できるので、衝撃による損傷を防止することができ、この特性が要求される電池パックなどの梱包に利用されている。
【先行技術文献】
【特許文献】
【０００３】
【特許文献１】特開２００２−７５３０８号公報
【発明の概要】
【発明が解決しようとする課題】
【０００４】
製造ラインにおいて、ダンボール箱から収納物品の取り出しにはロボットアームが使用される。ロボットアームは、収納物品の上部を露出させて、露出する部分を掴んで次の工程に移送する。収納物品の上部を露出させるために、ダンボール箱の長さ面と幅面の上部を水平方向に切断して、収納物品の上部を箱から突出させている。この使用状態において、収納物品の上に上パットを載せて梱包する梱包容器は、長さ面と幅面の上部を切断して収納物品の上部を露出させる状態で、収納物品の上に上パットが載せられた状態となるので、上パットをロボットアームで除去する工程を必要として、取り出し工程が複雑になる欠点がある。
【０００５】
以上の欠点は、上パットを内フラップに連結する構造で解消できる。長さ面と幅面の上部を切断してダンボール箱から分離する工程で、上パットも一緒に除去できるからである。上パットと内フラップの連結構造は、上パットを二層構造として、両端部に二層構造の間に隙間を設けて挿入隙間を設け、この挿入隙間に内フラップの先端を挿入する構造で実現できる。以上の梱包容器は、ダンボール箱の上部を切断して分離する工程で、上パットも一緒に除去できるが、上パットを二層構造とし、さらに両端部に挿入隙間を設ける複雑な加工を必要とするので、上パットの部品コストが高くなる欠点がある。
【０００６】
本発明は以上の欠点を解消することを目的として開発されたもので、本発明の大切な目的は、部品コストを低減しながら収納物品を能率よく取り出しできる梱包容器を提供することにある。
【課題を解決するための手段】
【０００７】
本発明のある態様の梱包容器は、開口部に内フラップと外フラップを有するダンボール箱本体と、内フラップ及び外フラップの内側であって、収納物品の上に重ねられる上パットとを備える梱包容器であって、上パットが、対向する端部に挿入隙間を有し、内フラップが、先端縁に向かって下り勾配に傾斜する挿入片を有し、挿入片が挿入隙間に挿入されて、上パットが内フラップに連結される構造としている。
【発明の効果】
【０００８】
以上の梱包容器は、部品コストを低減しながら収納物品を能率よく取り出しできる特徴がある。それは、以上の梱包容器が、上パットを二層構造とすることなく、上パットに挿入隙間を開口し、内フラップに挿入片を設けて、挿入片を挿入隙間に入れて上パットを内フラップに連結できるからである。
【図面の簡単な説明】
【０００９】
【図１】本発明の一実施形態に係る梱包容器の分解斜視図である。
【図２】図１に示すダンボール箱本体の要部拡大図である
【図３】本発明の一実施形態に係る梱包容器の垂直断面図である。
【図４】図３に示す梱包容器の部分拡大断面図である。
【図５】本発明の一実施形態に係る梱包容器を上下に分離した状態を示す斜視図である。
【発明を実施するための形態】
【００１０】
本発明のある態様の梱包容器は、以下の方法により特定されても良い。梱包容器は、開口部５に内フラップ６と外フラップ７を有するダンボール箱本体１と、内フラップ６及び外フラップ７の内側であって収納物品３０の上に重ねられる上パット２０とを備えており、上パット２０が、対向する端部に挿入隙間２１を有し、内フラップ６が、先端縁に向かって下り勾配に傾斜する挿入片１０を有し、挿入片１０が挿入隙間２１に挿入されて、上パット２０が内フラップ６に連結される構造としている。
【００１１】
本発明のある態様の梱包容器は、内フラップ６がコ字状に切断されて、切断線１１の内側に挿入片１０を設けている。この梱包容器は、内フラップの一部を切断して挿入片を設けるので、極めて簡単な工程で内フラップに連結する挿入片を設けることができ、さらに、内フラップの一部を挿入片に利用するので、より低コストに挿入片を設けて、上パットと内フラップとを連結できる特徴がある。
【００１２】
本発明のある態様の梱包容器は、挿入隙間２１を幅方向に伸びるスリットとしている。
【００１３】
本発明のある態様の梱包容器は、上パット２０をダンボール紙としている。
【００１４】
本発明のある態様の梱包容器は、収納物品３０を、上面に電極端子３２ａと接続リード３３とを設けている電池パック３１としてもよい。以上の梱包容器は、電池パックの上面に設けている電池の電極端子と接続リードを上パットで保護することができ、電池パックを衝撃から防止して、高い安全性を確保しながら梱包状態で搬送できる特徴がある。
【００１５】
以下、図面に基づいて本発明を詳細に説明する。なお、以下の説明では、必要に応じて特定の方向や位置を示す用語（例えば、「上」、「下」、及びそれらの用語を含む別の用語）を用いるが、それらの用語の使用は図面を参照した発明の理解を容易にするためであって、それらの用語の意味によって本発明の技術的範囲が制限されるものではない。また、複数の図面に表れる同一符号の部分は同一もしくは同等の部分又は部材を示す。
さらに以下に示す実施形態は、本発明の技術思想の具体例を示すものであって、本発明を以下に限定するものではない。また、以下に記載されている構成部品の寸法、材質、形状、その相対的配置等は、特定的な記載がない限り、本発明の範囲をそれのみに限定する趣旨ではなく、例示することを意図したものである。また、一の実施の形態、実施例において説明する内容は、他の実施の形態、実施例にも適用可能である。また、図面が示す部材の大きさや位置関係等は、説明を明確にするため、誇張していることがある。
【００１６】
図１の分解斜視図と図３の垂直断面図に示す梱包容器１００は、開口部５に内フラップ６と外フラップ７を有するダンボール箱本体１と、内フラップ６と外フラップ７の内側であって収納物品３０の上に重ねられる上パット２０とを備える。図１〜図５の梱包容器１００は、電池パック３１を収納物品３０として、緩衝箱２５に入れて梱包している。電池パック３１は、複数の角形電池セル３２を上面に電極端子３２ａを配置する姿勢で積層し、両端に設けたエンドプレート３４をバインドバー３５で連結して角形電池セル３２を加圧状態に固定し、電極端子３２ａを接続リード３３で接続している。上面に電極端子３２ａと接続リード３３を配置する電池パック３１は、上面に電位差のある電極端子３２ａや接続リード３３が配置されるので、上面を衝撃などから有効に保護することが特に大切である。電極端子３２ａや接続リード３３の接触が短絡の原因となって安全性を低下させるからである。電池パック３１を入れている緩衝箱２５は、ダンボール紙を折り曲げ加工して二層構造とする上方を開口している方形状の箱である。緩衝箱２５は内側に電池パックを収納できるように、内形を電池パック外形よりも僅かに大きくして、外形を梱包容器の内形よりもわずかに小さくしている。電池パック３１を緩衝箱２５に入れて収納する梱包容器１００は、電池パック３１をより安全に、とくに耐衝撃強度を向上して梱包できる。緩衝箱２５は、発泡スチロールなどのプラスチック発泡体等の耐衝撃性に優れた材質で製作することもできる。
【００１７】
ダンボール箱本体１は、全体がダンボール紙で製作された直方体の箱で、底面２の周囲に、幅面３と長さ面４とを設けて、幅面３の上縁には内フラップ６を、長さ面４の上縁には外フラップ７を折り曲げ自在に連結している。ダンボール箱本体１は、収納物品３０を内部に入れた状態で、内フラップ６を水平姿勢に折り曲げ、その後外フラップ７を水平姿勢に折り曲げて、外フラップ７を内フラップ６に重ねて開口部５を閉塞する。外フラップ７は、水平姿勢に折り曲げられた状態で、ダンボール箱本体１の上面開口部５を閉塞する。ダンボール箱本体１は、内フラップ６と外フラップ７を水平姿勢に折り曲げて、内フラップ６の上に外フラップ７を重ねて開口部５を閉塞する状態で、両側の外フラップ７の境界部分にテープ（図示せず）を付着し、あるいは両側の外フラップ７をステープラー等の金具で連結して固定される。
【００１８】
内フラップ６は、上パット２０に連結する挿入片１０を設けている。図１に示す内フラップ６は、コ字状に切断して、切断線１１の内側に挿入片１０を設けている。挿入片１０は、上パット２０の挿入隙間２１に挿入できるように、先端縁に向かって下り勾配に傾斜するように折り曲げられる。図２に示すコ字状の切断線１１は、内フラップ６の先端縁に沿って伸びる、言い換えると、内フラップ６の幅方向に伸びる第１の切断線１１Ａの両側に、内フラップ６の先端から折り曲げライン８に向かって伸びる第２の切断線１１Ｂからなる。
【００１９】
第１の切断線１１Ａと第２の切断線１１Ｂは互いに直角となっている。ただ、第１の切断線１１Ａと第２の切断線１１Ｂとの隅部の角度（α）は、直角よりも大きい鈍角として、挿入片１０を先細りテーパー状とし、挿入隙間２１に入れやすい形状にでき、反対に隅部の角度（α）を鋭角として、挿入隙間２１に入れた状態で抜け難い形状とすることもできる。
【００２０】
第１の切断線１１Ａの長さ（Ｌ１）は、挿入片１０の横幅（ｈ）を特定し、第２の切断線１１Ｂの長さ（Ｌ２）は挿入片１０の長さ（ｄ）を特定する。図２に示す内フラップ６は、第１の切断線１１Ａの長さ（Ｌ１）を内フラップ６横幅（Ｈ）の約半分、第２の切断線１１Ｂの長さ（Ｌ２）を内フラップ６の長さ（Ｄ）の約半分として、挿入片１０の横幅（ｈ）を内フラップ６の横幅（Ｈ）の約半分、挿入片１０の長さ（ｄ）を内フラップ６の長さ（Ｄ）の約半分としている。この内フラップ６は、挿入片１０を充分な強度とし、かつ挿入隙間２１に入れて内フラップ６を上パット２０に確実に連結できる。ただ、内フラップ６は、第１の切断線１１Ａの長さ（Ｌ１）と第２の切断線１１Ｂの長さ（Ｌ２）とを以上の寸法に特定することなく、内フラップ６の横幅（Ｈ）や長さ（Ｄ）の半分より長く、あるいは短くすることもできる。
【００２１】
以上の内フラップ６は、第１の切断線１１Ａを内フラップ６の幅方向に伸びるように設けると共に、挿入片１０の折り曲げライン１２を内フラップ６と幅面３との境界の折り曲げライン８と平行としているので、挿入片１０は内フラップ６の先端に向かって下り勾配に傾斜するので、内フラップ６を水平姿勢に折り曲げて、挿入片１０をスムーズに上パット２０の挿入隙間２１に案内できる。第１の切断線１１Ａの両側に連結している第２の切断線１１Ｂは、好ましくは、図１及び図２に示すように同じ長さとして、挿入片１０の折り曲げライン１２を挿入片１０の先端縁と平行とする。ただ、第１の切断線１１Ａの両側に設けた第２の切断線１１Ｂは、必ずしも同じ長さとすることなく、異なる長さとして、挿入片１０の先端縁と折り曲げライン１２とを平行でない形状とすることもできる。
【００２２】
第１の切断線１１Ａは、好ましくは、図２に示すように、内フラップ６の幅方向に伸びるように設けるが、必ずしも内フラップ６の幅方向に伸びる姿勢で設けることなく、内フラップ６の先端縁に傾斜して設けることもでき、また、内フラップ６の両側縁と平行な姿勢に設けることもできる。
【００２３】
上パット２０は、ダンボール箱本体１の開口部５の内形よりも僅かに小さい外形の長方形で、ダンボール箱本体１の収納物品３０の上に載せられて収納物品３０を衝撃などから保護する。上パット２０は、両端部に挿入片１０を案内する挿入隙間２１を設けている。図の上パット２０は、幅方向に伸びるスリットの挿入隙間２１を設けている。スリットの挿入隙間２１の開口幅（Ｋ）は、図４の部分拡大断面図に示すように、挿入片１０を傾斜姿勢でスムーズに案内できる寸法、たとえば、挿入片１０の厚さ（ｔ）の３倍〜１０倍とされる。さらに、挿入隙間２１は、内フラップ６を水平姿勢に折り曲げた状態で、挿入片１０を案内して、上パット２０に内フラップ６を積層できる位置に開口される。挿入片１０は折り曲げライン１２から下り勾配に傾斜する姿勢で挿入隙間２１に案内されるので、挿入隙間２１は、挿入片１０の折り曲げライン１２の近傍であって、折り曲げライン１２よりも僅かに先端に偏在した位置に開口される。
【００２４】
以上の梱包容器１００は、収納物品３０を入れて上パット２０を収納物品３０の上に載せ、内フラップ６を水平姿勢に折り曲げ、挿入片１０を上パット２０の挿入隙間２１に挿入して上パット２０の上に重ねた後、外フラップ７を水平姿勢に折り曲げて、外フラップ７を内フラップ６の上に重ね、この状態で外フラップ７の境界部にテープを付着し、あるいはステープラーで両側の外フラップ７を連結して固定する。この状態で梱包容器１００を搬送する。搬送された梱包容器１００は、長さ面４と幅面３の上部を、図３において鎖線で示すラインで水平方向に切断して上下に分離する。梱包容器１００を上下に分離した状態を図５に示す。梱包容器１００の下部から切断された上部、すなわち、長さ面４と幅面３の上部と、内フラップ６と外フラップ７と、内フラップ６に連結している上パット２０とを一緒に分離する。この状態で、収納物品３０は梱包容器１００の下部の内部に収納された状態となる。言い換えると、収納物品３０の上面は、梱包容器１００を切断するラインよりも下方に位置する。この状態で、収納物品３０の一部をロボットアームなどで掴んで所定の位置に搬送される。
【産業上の利用可能性】
【００２５】
本発明は、収納物品の上面を上パットで保護するダンボール箱に有効に利用できる。
【符号の説明】
【００２６】
１００…梱包容器
１…ダンボール箱本体
２…底面
３…幅面
４…長さ面
５…開口部
６…内フラップ
７…外フラップ
８…折り曲げライン
１０…挿入片
１１…切断線
１１Ａ…第１の切断線
１１Ｂ…第２の切断線
１２…折り曲げライン
２０…上パット
２１…挿入隙間
２５…緩衝箱
３０…収納物品
３１…電池パック
３２…角形電池セル
３２ａ…電極端子
３３…接続リード
３４…エンドプレート
３５…バインドバー
【図１】
2020117276.tif 000003
【図２】
2020117276.tif 000004
【図３】
2020117276.tif 000005
【図４】
2020117276.tif 000006
【図５】
2020117276.tif 000007